(57)【要約】【課題】容易に装着でき、おむつ着用後の胴囲の変化に追従しやすいと共に高応力で伸びる部分及び低応力で伸びる部分の位置や伸長応力の程度を調整する自由度の高い使い捨ておむつを提供する。【解決手段】表面シート、裏面シート及びこれら両シート間に配された吸収体を備え、背側部の一対のサイドフラップ５Ｃ，５Ｃにそれぞれファスニングテープ１０が設けられた使い捨ておむつ１であって、一対のサイドフラップ５Ｃ，５Ｃは、おむつの幅方向に向けて互いに並列状に配置固定された複数本の弾性体９を備え、複数本の弾性体９は、一対のサイドフラップ５Ｃ，５Ｃの幅方向外方の部分及び幅方向内方の部分の一方が他方に比して高応力で延びるように配されている。【選択図】図１
2008148818.tif 000002
【特許請求の範囲】
【請求項１】
表面シート、裏面シート及びこれら両シート間に配された吸収体を備え、背側部の一対のサイドフラップにそれぞれファスニングテープが設けられた使い捨ておむつであって、
一対の前記サイドフラップは、おむつの幅方向に向けて互いに並列状に配置固定された複数本の弾性体を備え、
複数本の前記弾性体は、一対の前記サイドフラップの幅方向外方の部分及び幅方向内方の部分の一方が他方に比して高応力で延びるように配されている使い捨ておむつ。
【請求項２】
複数本の前記弾性体は、一対の前記サイドフラップの幅方向外方の部分が、幅方向内方の部分に比して高応力で伸びるようにそれぞれ配されている請求項１記載の使い捨ておむつ。
【請求項３】
一対の前記サイドフラップは、複数本の前記弾性体が、前記表面シート及び前記裏面シートとは異なる２枚のシート間に、該シートがおむつの幅方向に伸縮するように接着固定されて形成されたギャザーシートを備えている請求項１又は２記載の使い捨ておむつ。
【請求項４】
前記使い捨ておむつは、前記吸収体の両側部を覆うサイドシートを更に備え、前記ギャザーシートは、該サイドシートと前記裏面シートとの間に配されている請求項３記載の使い捨ておむつ。
【請求項５】
一対の前記サイドフラップは、複数本の前記弾性体が、前記表面シート及び前記裏面シートとは異なる２枚のシート間に、該シートがおむつの幅方向に延出するように接着固定されたギャザーシートにより形成されている請求項１又は２記載の使い捨ておむつ。
【請求項６】
前記弾性体は、一対の前記サイドフラップの幅方向内方の部分よりも幅方向外方の部分に多くの本数が配されている請求項１ないし５の何れかに記載の使い捨ておむつ。
【請求項７】
複数本の前記弾性体は、太さの異なる２種類の弾性体からなり、
太い弾性体は、一対の前記サイドフラップそれぞれの前記幅方向外方の部分に配され、細い弾性体は、前記幅方向内方の部分に配されている請求項１ないし５の何れかに記載の使い捨ておむつ。
【請求項８】
複数本の前記弾性体は、前記幅方向外方の部分に配された弾性体及び前記幅方向内方の部分に配された弾性体からなり、
前記幅方向外方の部分に配された弾性体は、高伸長率で配置固定され、前記幅方向内方の部分に配された弾性体は、低伸長率で配置固定されている請求項１ないし５の何れかに記載の使い捨ておむつ。
【発明の詳細な説明】
【技術分野】
【０００１】
本発明は、使い捨ておむつに関する。
【背景技術】
【０００２】
従来、伸縮性を有するサイドフラップを備えた展開型の使い捨ておむつが知られている。
また、おむつの装着を容易にすると共に装着後のおむつのズレ落ちを防止することを目的として、サイドフラップを含む背側部のおむつ幅方向全体に亘って２段階の伸長応力を有するフィルム材料を用いた使い捨ておむつも提案されている（特許文献１参照）。
【０００３】
【特許文献１】特開２００２−３３０９９４号公報
【発明の開示】
【発明が解決しようとする課題】
【０００４】
展開型のおむつは、通常寝かせた状態で装着されるため、おむつ装着時、おむつの背側部における着用者の背中に当接する部分は、着用者の身体に押し付けられ伸長性が妨げられる。そのため、特許文献１記載のおむつにおいては、装着時に着用者の背中に当接する部分の伸長性が発揮されにくく、おむつの装着性の向上効果は十分ではなかった。また、呼吸や姿勢の変化の際に生じる胴囲の変化は、腹側部において大きく、背側部においては小さい。しかし、特許文献１記載のおむつにおいては、おむつ胴周りの部位による伸び方の違いについては何ら考慮されていない。更に、上記のような２段階の伸長応力を有するフィルム材料は、製造コストが高く、更に、高応力で伸びる部分及び低応力で伸びる部分の位置や伸長応力の程度を調整する自由度が低いという問題点もあった。
【０００５】
従って、本発明の目的は、容易に装着でき、おむつ着用後の胴囲の変化に追従しやすいと共に高応力で伸びる部分及び低応力で伸びる部分の位置や伸長応力の程度を調整する自由度の高い使い捨ておむつを提供することにある。
【課題を解決するための手段】
【０００６】
本発明は、表面シート、裏面シート及びこれら両シート間に配された吸収体を備え、背側部の一対のサイドフラップにそれぞれファスニングテープが設けられた使い捨ておむつであって、一対の前記サイドフラップは、おむつの幅方向に向けて互いに並列状に配置固定された複数本の弾性体を備え、複数本の前記弾性体は、一対の前記サイドフラップの幅方向外方の部分及び幅方向内方の部分の一方が他方に比して高応力で延びるように配されている使い捨ておむつを提供することにより、上記目的を達成したものである。
【発明の効果】
【０００７】
本発明の使い捨ておむつによれば、複数本の弾性体が、一対のサイドフラップの幅方向外方の部分及び幅方向内方の部分の一方が他方に比して高応力で延びるように配されているため、おむつを容易に装着でき、おむつ着用後の胴囲の変化に追従しやすいと共に、高応力で伸びる部分及び低応力で伸びる部分の位置や伸長応力の程度を調整する自由度が高い。
【発明を実施するための最良の形態】
【０００８】
以下、本発明の使い捨ておむつについて、その好ましい一実施形態である第１実施形態に基づき、図面を参照しながら説明する。
第１実施形態の使い捨ておむつ１は、図１及び図２に示すように、液透過性の表面シート２、液不透過性又は撥水性の裏面シート３及びこれら両シート２，３間に配された液保持性の吸収体４を備えている。また、背側部Ｃの一対のサイドフラップ（以下、背側サイドフラップともいう）５Ｃ，５Ｃには、それぞれファスニングテープ１０が設けられており、この形態は、この種の従来の使い捨ておむつと同じ形態である。
一対の前記背側サイドフラップ５Ｃ，５Ｃは、おむつの幅方向に向けて互いに並列状に配置固定された複数本の弾性体９を備え、複数本の該弾性体９は、一対の背側サイドフラップ５Ｃ，５Ｃの幅方向外方の部分５１及び幅方向内方の部分５２の一方が、他方に比して高応力で延びるように配されている。第１実施形態においては、複数本の該弾性体９は、一対の前記背側サイドフラップ５Ｃ，５Ｃの幅方向外方の部分５１が高応力で伸びるように、また幅方向内方の部分５２が低応力で伸びるように、それぞれ配されている。尚、図１においては、伸長状態の一対の背側サイドフラップ５Ｃ，５Ｃを表した展開平面図が示されている。
【０００９】
第１実施形態の使い捨ておむつ１について更に詳述すると、前記吸収体４は、図１に示すように、縦長の形状を有し、その長手方向の中央部が幅方向内方に括れている。前記表面シート２及び前記裏面シート３は、それぞれ吸収体４の肌当接面側及び非肌当接面側全面を覆っており、吸収体４の周縁より延出している。また、表面シート２は、図２及び図３に示すように、その幅が裏面シート３よりも狭くなっている。
【００１０】
前記吸収体４の長手方向両側部には、前記表面シート２を介して一対のサイドシート６２，６２が配されている。一対の該サイドシート６２，６２は、吸収体４の肌当接面側の両側部を長手方向全域に亘って覆っている。一対のサイドシート６２，６２は、図２に示すように、吸収体４の両側部の幅方向外方において表面シート２と接合され固定部６３を形成している。固定部６３は、長手方向に直線状に延びて形成されている。一対のサイドシート６２，６２の内端は、図３に示すように、自由端となっている。股下部Ｂにおける自由端近傍には立体ギャザー形成用の弾性部材６１が伸長状態で固定されており、着用時には、一対の立体ギャザーが形成される。
【００１１】
固定部６３の幅方向外方においては、幅方向外方に延出したサイドシート６２と裏面シート３とが接合され、一対のレッグフラップ７，７が形成されている。一対のレッグフラップ７，７における股下部Ｂの幅方向外端近傍には、レッグギャザー形成用の弾性部材７１が伸長状態で固定されており、着用時にはレッグギャザーが形成される。
【００１２】
腹側部Ａの両側部には、図１に示すように、一対の腹側サイドフラップ５Ａ，５Ａが形成されている。一対の腹側サイドフラップ５Ａ，５Ａ及び前述した一対の背側サイドフラップ５Ｃ，５Ｃの肌当接面側及び非肌当接面側は、それぞれサイドシート６２及び裏面シート３から形成されている。
【００１３】
次に、第１実施形態における一対の背側サイドフラップ５Ｃ，５Ｃについて詳述する。第１実施形態においては、一対の背側サイドフラップ５Ｃ，５Ｃは、図２に示すように、サイドシート６２と裏面シート３との間にギャザーシート８が配されて形成されている。
また、ギャザーシート８は、複数の弾性体９が、表面シート２、裏面シート３及びサイドシート６２とは異なる２枚のシート８１，８１間に、該シートがおむつの幅方向に伸縮するように接着固定されて形成されている。
【００１４】
ギャザーシート８は、横長の矩形形状をしており、その長手方向に伸縮性を有するように形成されている。ギャザーシート８は、おむつの幅方向に伸長させた状態において、サイドシート６２と裏面シート３との間に挟まれて接合されている。ギャザーシート８の両面は、サイドシート６２又は裏面シート３と公知の接合方法により接合されている。従って、自然状態における一対の背側サイドフラップ５Ｃ、５Ｃは幅方向に収縮した状態となっている。
【００１５】
一対の背側サイドフラップ５Ｃ、５Ｃにおいてサイドシート６２と裏面シート３との間に配されたギャザーシート８を構成する複数本の前記弾性体９は、図４に示すように、一対の前記サイドフラップ５Ｃ、５Ｃの幅方向内方の部分５２よりも幅方向外方の部分５１に多くの本数が配されている。更に説明すると、複数本の弾性体９は、一対の前記サイドフラップ５Ｃ、５Ｃそれぞれの幅方向内方から外方に亘って接着固定された弾性体９１と、前記幅方向外方の部分５１において接着固定された弾性体９２とからなる。尚、図４及び後述する図５に示すギャザーシート８は、その伸長時の状態を示しているものである。
本実施形態においては、接着長が長い弾性体９１と短い弾性体９２とはおむつの長手方向に亘って交互に配置されている。
【００１６】
このように、第１実施形態における１対の背側サイドフラップ５Ｃ，５Ｃにおいては、その幅方向外方の部分５１に配された弾性体の本数は、幅方向内方の部分５２に配された弾性体の本数よりも多くなり、その結果、幅方向外方の部分５１が高応力で伸びる部分となり、幅方向内方の部分５２が低応力で伸びる部分となっている。
【００１７】
高応力で伸びる部分と低応力で伸びる部分は、例えば、図５に示すように、同一材料から形成された複数本の弾性体９の太さを変えることにより設けることもできる。この場合には、複数本の前記弾性体９は、太さの異なる２種類の弾性体からなり、おむつの長手方向に亘って混在しており、太い弾性体９３は、一対の前記背側サイドフラップ５Ｃ，５Ｃそれぞれの前記幅方向外方の部分５１に配され、細い弾性体９４は、前記幅方向内方の部分５２に配されている。
【００１８】
第１実施形態における太い弾性体９３及び細い弾性体９４は同一材料から形成されている。同一材料から形成された、異なる太さの弾性体においては、太い弾性体９３の伸長応力は、細い弾性体９４の伸長応力よりも大きくなるため、太い弾性体９３の配された幅方向外方の部分５１が、高応力で伸びる部分となり、細い弾性体９４の配された幅方向内方の部分５２が、低応力で伸びる部分となる。
尚、本明細書において「弾性体の太さ」は、弾性体の非伸長状態における太さをいい、弾性体が糸状である場合には、その断面の直径で表すものである。
【００１９】
また、複数本の前記弾性体９を２枚のシート８１、８１間に配置固定する際に、複数の該弾性体９の伸長状態を変えて配置固定することにより高応力で伸びる部分と低応力で伸びる部分とを設けることもできる。
この方法においては、複数本の前記弾性体９は、前記幅方向外方の部分５１に配された弾性体及び前記幅方向内方の部分５２に配された弾性体からなり、おむつの長手方向に亘って混在しており、前記幅方向外方の部分５１に配された弾性体は、高伸長率で配置固定され、前記幅方向内方の部分５２に配された弾性体は、低伸長率で配置固定されている。
【００２０】
一対の背側サイドフラップ５Ｃ、５Ｃにおける低応力で伸びる部分の伸長応力は、使い捨ておむつ１を容易に装着できるようにする観点から、好ましくは５０〜７００ｃＮである。
また、高応力で伸びる部分の伸長応力は、使い捨ておむつ１がズレ落ちるのを防止すると共に、着用後の胴囲の変化に対応できるようにする観点から、好ましくは２００〜１，０００ｃＮである。
更に、一対の背側サイドフラップ５Ｃ、５Ｃにおける高応力で伸びる部分と低応力で伸びる部分の伸長応力の差は、使い捨ておむつ１の装着時に、装着する者が伸び止まり感（低応力で伸びる部分が伸びきった時に一旦伸びを感じなくなること）を得られるようにする観点から、好ましくは１００〜５００ｃＮである。
【００２１】
複数の弾性部材９の長さ、太さ及び２枚のシート８１，８１間に配置固定する際の高伸長率部分及び低伸長率部分それぞれの伸長率は、用いる弾性体の本数や種類等によって適宜調整すればよく、一対の背側サイドフラップ５Ｃ、５Ｃにおける高応力で伸びる部分及び低応力で伸びる部分それぞれの伸長応力が、上述した範囲に入っていればよい。
複数の前記弾性体９の本数は、ベビー用で考えた場合、好ましくは３〜３０本、更に好ましくは５〜１２本である。
【００２２】
背側サイドフラップ５Ｃにおける幅方向外方の部分５１及び幅方向内方の部分５２の伸長応力は、以下の〔伸長応力の測定方法〕により測定される。
【００２３】
〔伸長応力の測定方法〕
おむつから、複数本の弾性体９が配されている部位のおむつ幅方向に亘る全体〔本実施態様においては、背側部Ｃにおけるウエスト端から２０ｍｍまでの領域よりも下方で、且つ左右のファスニングテープの固定端間（おむつ両側縁端間）に存在する領域〕を切り出し、更に幅方向外方の部分５１及び幅方向内方の部分５２に切り分ける。
切り分けた幅方向外方の部分５１及び幅方向内方の部分５２をテンシロン引張り試験機〔型番：ＲＴＡ−１００、（株）オリエンテック社製〕を用いて、おむつ幅方向に対応する方向に伸張させる。初期チャック間距離は、幅方向外方の部分５１及び幅方向内方の部分５２の幅方向の自然長（弾性体９を伸長させない自然状態における長さ，初期長）から２０ｍｍを減じた長さとし、サンプルの両端部をそれぞれチャックに挟む。
次いで、クロスヘッド移動速度３００ｍｍ／ｍｉｎの条件で、サンプルを最大伸張幅（幅方向外方の部分５１及び幅方向内方の部分５２から弾性体９を排除し、該部分を収縮させないようにして測定した幅方向外方の部分５１及び幅方向内方の部分５２の幅）まで伸長させる。最大伸張時の伸長率Ｐ（％）は、〔（最大伸張幅−初期長）／初期長〕×１００で求められる。そして、最大伸張時の伸張率Ｐから３０％を減じた伸張率〔（Ｐ−３０）％〕における引張荷重（引張力）を求める。この引っ張り荷重を伸長応力とする。
【００２４】
一対の背側サイドフラップ５Ｃ，５Ｃそれぞれの幅方向外側端部には、図１に示すように、ファスニングテープ１０が設けられている。ファスニングテープ１０は、図４に示すように、その一方の端部が、サイドシート６２と裏面シート３との間に挟持されたギャザーシート８を介して固定されている。ギャザーシート８は、おむつ幅方向に伸長させた状態においてファスニングテープ１０と固定されている。この固定には、例えば、接着剤やヒートシール等公知の接合手段が用いられる。
【００２５】
腹側部Ａの裏面シート３における非肌当接面側には、ファスニングテープ１０が止着されるランディングテープ（図示せず）が配されている。使い捨ておむつ１は、ファスニングテープ１０をランディングテープに止着することにより装着形態が形成される。
【００２６】
次に、使い捨ておむつ１を形成する各部材について説明する。
表面シート２、裏面シート３、吸収体４及びサイドシート６２としては、従来の吸収性物品等において用いられている各種材料を用いることができる。
【００２７】
表面シート２としては、例えば各種製法による不織布、開孔フィルム、これらの積層体を用いることができる。
裏面シート３としては、例えば、ポリエチレンフィルム、ポリプロピレンフィルム、ポリエステルフィルムを用いることができる。また、これらのフィルムと不織布との積層体を用いることもできる。このようなフィルムと不織布との積層体を用いる場合には、吸収体４の外面に位置するおむつの幅方向中央領域を積層体で構成し、該中央領域を除くサイドフラップ部の外面に位置する領域を不織布の単層構造で構成してもよい。
【００２８】
吸収体４としては、例えばパルプ繊維等の繊維集合体又はこれと吸収性ポリマーとを併用したものを用いることができる。
複数本の弾性体９としては、天然ゴム、ポリウレタン系樹脂、発泡ウレタン系樹脂、ホットメルト系伸縮部材等の伸縮性素材を糸状（糸ゴム）又は帯状（平ゴム）やフィルム状に形成したものが好ましい。
【００２９】
ギャザーシート８を構成する２枚のシート８１，８１としては不織布、フィルム、ティッシュ等を用いることができるが、一対の背側サイドフラップ５Ｃ，５Ｃに通気性を付与させる観点から不織布が好ましく用いられる。尚、本発明における２枚のシートは、それぞれ別体のシートであってもよいが、一枚のシートを折り返して２枚のシートとしたものであってもよい。
【００３０】
以上のように構成された第１実施形態の使い捨ておむつにおいては、使い捨ておむつ１を装着する際には、着用者の両脇近傍に位置する一対の背側サイドフラップ５Ｃ，５Ｃの幅方向内方の部分５２が伸び、装着後の着用者の姿勢の変化等に起因する胴囲の変化には、着用者のより腹側に位置する一対の背側サイドフラップ５Ｃ，５Ｃの幅方向外方の部分５１が伸びて着用者の胴囲の変化に対応できるため、使い捨ておむつ１の装着が容易であると共に、装着後の着用者の胴囲、特に腹囲の変化に追従しやすい。尚、一対の背側サイドフラップ５Ｃ，５Ｃは、着用者の両脇から腹側にかけて位置するため、装着時に着用者の身体には押し付けられず、その伸長性は妨げられにくい。
また、複数の弾性体９の長さ、複数の弾性体９の太さ又は複数の弾性体９の固定時の伸長率を変えて高応力で伸びる部分と低応力で伸びる部分とを形成しているため、高応力で伸びる部分と低応力で伸びる部分の位置や伸長応力の程度の調整の自由度が高い。
【００３１】
尚、第１実施形態においては、複数本の弾性体９は、幅方向外方の部分５１が幅方向内方の部分５２に比して高応力で伸びるように配されていたが、幅方向内方の部分５２が幅方向外方の部分５１に比して高応力で伸びるように配されていてもよい。
【００３２】
次に、本発明の使い捨ておむつの第２の実施形態について説明する。第２実施形態については、上述した第１実施形態と異なる点を主として説明し、同様の点は同一の符号を付して説明を省略する。第２実施形態においても、第１実施形態と同様の効果が奏される。
【００３３】
第２実施形態の使い捨ておむつ１においては、図６に示すように、第１実施形態に比して、一対の背側サイドフラップ５Ｃ，５Ｃの構成が主として異なる。具体的には、一対の背側サイドフラップ５Ｃ，５Ｃは、複数本の弾性体９が、表面シート２及び裏面シート３とは異なる２枚のシート間に、該シートがおむつの幅方向に延出するように接着固定されたギャザーシート８により形成されている。
また、第２実施形態の使い捨ておむつ１においては、一対の腹側サイドフラップ５Ａ、５Ａは形成されていない。
【００３４】
第２実施形態においては、一対の背側サイドフラップ５Ｃ、５Ｃは、図６に示すように、下底がおむつ幅方向内方に位置する略台形形状をしており、背側部Ｃにおいて、図７に示すように、サイドシート６２と裏面シート３との間に公知の接合手段（例えば、接着剤やヒートシール等）により固定されている。
また、ファスニングテープ１０は、その幅方向内方の端部が背側サイドフラップ５Ｃを形成するギャザーシート８のおむつ幅方向外端部の非肌当接面側に固定されている。
【００３５】
本発明の使い捨ておむつは、前述した実施形態に制限されることなく、本発明の趣旨を逸脱しない限り適宜変更が可能である。
例えば、第１実施形態及び第２実施形態においては、複数本の弾性体９は、表面シート２、裏面シート３及びサイドシート６２とは異なる２枚のシート８１，８１間に接着固定されて、複数本の該弾性体９及び２枚の該シートからギャザーシートを形成していたが、ギャザーシート８は形成しなくてもよい。即ち、複数の弾性体は、表面シート２、裏面シート３及びサイドシート６２とは異なる１枚のシートとサイドシート６２又は裏面シート３との間に配置固定されて背側サイドフラップ５Ｃに用いられてもよい。また、複数本の弾性体９は、サイドシート６２と裏面シート３との間に配置固定されて背側サイドフラップ５Ｃに用いられてもよい。
【００３６】
また、２枚のシート８１，８１として伸長性を有する材料を用い、複数本の弾性体９を該２枚のシート８１，８１間に非伸長状態で接合固定して伸縮可能なギャザーシート８を構成してもよい。
【００３７】
また、第１実施形態及び第２実施形態においては、使い捨ておむつ１は、吸収体４の長手方向を覆う一対のサイドシート６２，６２有していたが、一対のサイドシート６２，６２は有していなくてもよく、その場合には、表面シート２と裏面シート３との間にギャザーシート８を配して背側サイドフラップ５Ｃを形成してもよい。
【００３８】
ギャザーシート８は、背側部Ｃの幅方向全域に亘って配されていてもよい。この場合には吸収体４の配されている幅方向中央領域において、ギャザーシート８の伸縮性が発現しないようにされていることが好ましい。ギャザーシート８の伸縮性を発現させない方法としては、例えば、幅方向中央領域において複数の弾性体９を幅方向に亘って切断して伸縮性を発現させないようにすることができる。
【００３９】
サイドフラップ５Ｃの幅方向外方の部分５１が高応力で伸びるように、幅方向内方の部分５２が低応力で伸びるようにするには、前述したように、複数の弾性体９の接着長さを変えたり、太さを変えたり、本数を変えたり、又は複数の弾性体９の２枚のシートへの固定時の伸長率を変えたりする以外の方法を用いてもよい。また、弾性体９の本数や太さ等の違いを適宜組み合わせて、高応力で伸びる部分と低応力で伸びる部分とを設けてもよい。
本発明の使い捨ておむつ１においては、前記各実施形態の各構成は、適宜組み合わせることができる。
【図面の簡単な説明】
【００４０】
【図１】図１は、本発明の使い捨ておむつの第１実施形態の展開平面図である。
【図２】図２は、図１のＸ−Ｘ線の断面を模式的に示した拡大断面図である。
【図３】図３は、図１のＹ−Ｙ線の断面を模式的に示した拡大断面図である。
【図４】図４は、第１実施形態におけるギャザーシートを示す一部破断平面図である。
【図５】図５は、本発明の使い捨ておむつにおけるギャザーシートの別の形態を示す一部破断平面図である。
【図６】図６は、本発明の使い捨ておむつの第２実施形態の展開平面図である。
【図７】図７は、図６のＺ−Ｚ線の断面を模式的に示した拡大断面図である。
【符号の説明】
【００４１】
１  使い捨ておむつ
２  表面シート
３  裏面シート
４  吸収体
５Ａ  腹側サイドフラップ
５Ｃ  サイドフラップ（背側サイドフラップ）
６１  立体ギャザー形成用の弾性部材
６２  サイドシート
６３  固定部
７  レッグフラップ
７１  レッグギャザー形成用の弾性部材
８  ギャザーシート
９  弾性体
９１  接着長の長い弾性体
９２  接着長の短い弾性体
９３  太い弾性体
９４  細い弾性体
１０  ファスニングテープ
【図１】
2008148818.tif 000003
【図２】
2008148818.tif 000004
【図３】
2008148818.tif 000005
【図４】
2008148818.tif 000006
【図５】
2008148818.tif 000007
【図６】
2008148818.tif 000008
【図７】
2008148818.tif 000009